(57)【要約】【課題】  ユーザの意図した構図での撮影と、仲良しグループが大写しになった構図での撮影を両立することのできる撮像装置を提供すること。【解決手段】  ズーム機構を備えた撮像装置であって、予め登録された複数の人物のうち、現在の画角に写っている人物を検出する人物検出手段と、予め登録された複数の人物のうち、仲の良い複数の人物をグループとして管理するグループ管理手段と、人物検出手段によって検出された人物情報と、管理手段によって管理されているグループ情報とを照合することによって、現在の画角内にグループが写っているか否かを判定する判定手段と、グループにズームしたズーム撮影を行うための指示を受け付ける受付手段と、撮影を制御する制御手段とを備え、制御手段は、判定手段によってグループが写っていると判断され、かつ受付手段によってズーム撮影が指示された場合に、通常の撮影動作を行った後にグループへズームした２度目の撮影を自動で行うよう制御することを特徴とする。【選択図】  図１
2020174310.tif 000002
【特許請求の範囲】
【請求項１】
ズーム機構を備えた撮像装置であって、
予め登録された複数の人物のうち、現在の画角に写っている人物を検出する人物検出手段と、
予め登録された複数の人物のうち、仲の良い複数の人物をグループとして管理するグループ管理手段と、
人物検出手段によって検出された人物情報と、管理手段によって管理されているグループ情報とを照合することによって、現在の画角内にグループが写っているか否かを判定する判定手段と、
グループにズームしたズーム撮影を行うための指示を受け付ける受付手段と、
撮影を制御する制御手段と、
を備え、制御手段は、判定手段によってグループが写っていると判断され、かつ受付手段によってズーム撮影が指示された場合に、通常の撮影動作を行った後にグループへズームした２度目の撮影を自動で行うよう制御することを特徴とする撮像装置。
【発明の詳細な説明】
【技術分野】
【０００１】
本発明は、撮像装置に関し、予め登録された複数の被写体に自動でズームして撮影することのできる撮像装置に関する。
【背景技術】
【０００２】
従来、カメラマンの仕事の一種として、遠足や運動会等の学校行事へ出張して撮影を行う出張カメラマンの仕事がある。学校行事を撮影した写真においては、仲の良い数人のグループ（仲良しグループ）が大写しとなった写真への要望が多い。しかし、出張カメラマンが仲良しグループを認識して撮影することは困難である。仲良しグループのような、複数人の被写体へズームして撮影する技術として、特許文献１の方法が開示されている。
【先行技術文献】
【特許文献】
【０００３】
【特許文献１】特開２００５−２６９１５３号公報
【発明の概要】
【発明が解決しようとする課題】
【０００４】
ところで、一般に写真を撮影する場合、被写体が大写しになった写真のみを撮影すればよいというものではなく、背景を含めてその場の雰囲気を表した写真も必要となる。また、出張カメラマンの仕事においては全ての被写体をもれなく撮影することが必須条件となっている。そのため、カメラマンの意図した構図で写真を撮影することが重要となる。上記の特許文献１においても、カメラマンの意図した構図での撮影については言及がない。
【０００５】
そこで本発明の目的は、カメラマンの意図した構図での撮影と、仲良しグループにズームした撮影を両立することのできる撮像装置を提供することにある。
【課題を解決するための手段】
【０００６】
上記の目的を達成するために、本発明に係る撮像装置は、
ズーム機構を備えた撮像装置であって、予め登録された複数の人物のうち、現在の画角に写っている人物を検出する人物検出手段と、予め登録された複数の人物のうち、仲の良い複数の人物をグループとして管理するグループ管理手段と、人物検出手段によって検出された人物情報と、管理手段によって管理されているグループ情報とを照合することによって、現在の画角内にグループが写っているか否かを判定する判定手段と、グループにズームしたズーム撮影を行うための指示を受け付ける受付手段と、撮影を制御する制御手段とを備え、制御手段は、判定手段によってグループが写っていると判断され、かつ受付手段によってズーム撮影が指示された場合に、通常の撮影動作を行った後にグループへズームした２度目の撮影を自動で行うよう制御することを特徴とする。
【発明の効果】
【０００７】
本発明によれば、カメラマンの意図した構図での撮影と、仲良しグループにズームした撮影を両立することのできる撮像装置の提供を実現できる。
【図面の簡単な説明】
【０００８】
【図１】本発明の実施例１に係る撮像装置の概略を表すブロック図である。
【図２】仲良しグループを囲う枠を表す模式図である。
【図３】仲良しグループを表す情報の例を表す表である。
【図４】人物検出情報を表す模式図である。
【図５】仲良しグループ検出部の概略を表すブロック図である。
【図６】仲良しグループの領域を算出する処理を表すフロー図である。
【図７】人物検出情報を表す模式図である。
【図８】仲良し部ループを囲う枠を表す模式図である。
【図９】撮影制御部の処理を表すフロー図である。
【発明を実施するための形態】
【０００９】
以下、本発明を実施するための形態について、図面を参照しながら詳細に説明する。
【実施例１】
【００１０】
図面を参照して本発明の第１の実施例による撮像装置について説明する。
【００１１】
図１は本実施例１に係る撮像装置の構成の概略を表すブロック図である。
【００１２】
操作部１０１はズームレバーやシャッターボタン等を備えており、ユーザの操作を受け付ける。ユーザはズームレバーを利用して構図を調整し、シャッターボタンを半押しすることでフォーカス動作を、シャッターボタンを全押しすることで撮影動作を制御することができる。ユーザの操作情報は撮影制御部１０３へ送信される。
【００１３】
画像記録部１０２は、画像処理部１０８により処理された画像を画像ファイルとして図示しない記憶デバイスへ記録する処理を行う。記憶デバイスとしては例えば、ＳＤカードを利用することができる。
【００１４】
撮影制御部１０３は、操作部１０１および仲良しグループ検出部１０６からの指示に応じて、撮像部１０４を制御する。撮影制御部１０３の詳細については後述する。
【００１５】
撮像部１０４は、焦点距離を調節可能なレンズおよびレンズからの光を電気信号へ変換する光学センサで構成されている。
【００１６】
光学センサとしてはＣＭＯＳ（Ｃｏｍｐｌｅｍｅｎｔａｒｙ  Ｍｅｔａｌ−Ｏｘｉｄｅ−Ｓｅｍｉｃｏｎｄｕｃｔｏｒ）イメージセンサやＣＣＤ（Ｃｈａｒｇｅ−Ｃｏｕｐｌｅｄ  Ｄｅｖｉｃｅ）イメージセンサ等を利用することができる。
【００１７】
撮像部１０４により撮像された画像は画像処理部１０８へ送信される。
【００１８】
仲良しグループ管理部１０５は、仲良しグループに関する情報を管理する。仲良しグループに関する情報は、人物検出部１０７によって検出される人物のうち、誰と誰が仲良しグループであるかを表す情報であり、カメラマンの撮影に先立って登録されているものとする。
【００１９】
図３は仲良しグループ管理部１０５が管理する情報の例を表す模式図である。
【００２０】
図３では、仲良しグループ１〜仲良しグループ４の４個の仲良しグループが登録されており、例えば、仲良しグループ１のメンバーは人物Ａ、人物Ｇの２人であり、仲良しグループ３のメンバーは人物Ｂ、人物Ｃ、人物Ｄの３人であることを表している。
【００２１】
仲良しグループ検出部１０６は、人物検出部１０７によって通知される人物情報および、仲良しグループ管理部１０５によって管理される仲良しグループ情報に基づいて、画像中の仲良しグループを検出する。仲良しグループ検出部１０６の詳細については後述する。
【００２２】
人物検出部１０７は、画像処理部１０８より受け取った画像を解析し、予め登録された人物が画像に写っている否か、写っている場合はその人物が写っている領域を検出し、仲良しグループ検出部１０６へ通知する。
【００２３】
図４は人物検出部１０７によって検出される人物の情報を表す模式図である。
【００２４】
図４は、画像４０１に人物Ａ、人物Ｂ、人物Ｃの３人が写っていることを表している。ここで、人物Ａおよび人物Ｂは予め登録されている人物であり、人物Ｃは登録されていないとすると、人物検出部１０７は人物Ａおよび人物Ｂを検出する。
【００２５】
人物検出部１０７はまた、人物Ａおよび人物Ｂが写っている領域を検出する。
【００２６】
図４において、人物Ａの写っている領域は点線の矩形４０２で表されており、その左上座標は（Ｘａ１，Ｙａ１）であり、右下座標は（Ｘａ２，Ｙａ２）であることが表されている。同様に、人物Ｂの写っている領域は矩形４０３であり、（Ｘｂ１，Ｙｂ１）であり、右下座標は（Ｘｂ２，Ｙｂ２）である。
【００２７】
人物検出部は人物Ａ、人物Ｂといった人物の識別情報に加えて、図４に表すような人物が写っている領域の座標情報を検出し、仲良しグループ検出部１０６へ通知する。画像から人物を検出する方法については種々あるが、例えばディープラーニングを用いた機械学習を利用することができる。
【００２８】
画像処理部１０８は、撮像部１０４により撮像された画像に画像処理を施す。画像処理には例えば、レンズの歪みを補正する歪曲補正や、ホワイトバランス調整等がある。
【００２９】
ＯＳＤ描画部１０９は、仲良しグループ検出部１０６からの指示に基づき、仲良しグループを囲む枠を描画し、合成部１１０へ送信する。
【００３０】
合成部１１０は、画像処理部１０８より受け取った画像とＯＳＤ描画部１０９より受け取った画像を１枚の画像へ合成し、表示部１１１へ出力する。
【００３１】
図２は、ＯＳＤ描画部１０９により描画された枠が合成部１１０より合成された画像を表す模式図である。
【００３２】
枠２０１は、ユーザが設定した現在の画角を表しており、人物Ａ〜人物Ｆの６人が写っていることを表している。
【００３３】
枠２０２は、ＯＳＤ描画部１０９によって描画される仲良しグループを囲む枠であり、人物Ｂ、人物Ｃ、人物Ｄの３人が仲良しグループであることを表している。ユーザは枠２０２を見ることで、３人が仲良しグループであることを知ることができる。
【００３４】
表示部１１１は、合成部１１０より受け取った画像を図示しない表示デバイスへ表示する処理を行う。表示デバイスとしては例えば液晶ディスプレイを用いることができる。
【００３５】
次に仲良しグループ検出部１０６について詳細を説明する。
【００３６】
図５は仲良しグループ検出部１０６の概略を表すブロック図である。
グループ領域算出部５０１は、画像に写っている仲良しグループの領域を算出し、ズーム倍率算出部５０２および枠描画指示部５０３へ通知する。
【００３７】
図６はグループ領域算出部５０１の処理を表すフロー図である。
【００３８】
グループ領域算出部５０１はまず、人物検出部１０７より画像に写っている人物の検出情報を取得する（６０１）。
【００３９】
図７は、人物検出部１０７より取得された人物の検出情報を表す模式図である。
【００４０】
図７は、画像７０１において人物Ａ〜人物Ｅの５人が検出されており、それぞれが検出された領域が点線枠７０２〜７０６であることを表している。グループ領域算出部５０１は、人物検出情報を取得すると、人物が検出されているか否かを判定する（６０２）。
人物が検出されていなかった場合は終了する。
【００４１】
グループ領域算出部５０１は次に、仲良しグループ管理部１０５より、仲良しグループの情報を取得する（６０３）。ここでは、図３に表す情報が取得されたものとする。
【００４２】
次に人物の検出情報と仲良しグループの情報を照合し、検出された人物のうちの複数人が所属している仲良しグループがあるか否かを判定する（６０４）。該当する仲良しグループがなかった場合は終了する。本実施例においては、ステップ６０４の処理において、仲良しグループ３に人物Ｂ、人物Ｃ、人物Ｄの３人が所属していることが検出される。
【００４３】
グループ領域算出部５０１は次に、検出されたグループのメンバーを囲む領域を算出する（６０５）。本実施例の場合、図８に示すように、人物Ｂ〜人物Ｄの３人を囲む点線枠８０１の領域が算出される。
【００４４】
最後に、算出された領域の座標を通知して（６０６）終了する。
【００４５】
ズーム倍率算出部５０２は、グループ領域算出部５０１より通知された領域情報を基に、撮影制御部１０３へ通知するズーム倍率を算出する。具体的には、仲良しグループの写っている領域が画像に収まる最大のズーム倍率を算出する。
【００４６】
枠描画指示部５０３は、グループ領域算出部５０１によって算出されて領域の座標をＯＳＤ描画部１０９へ通知することによって、仲良しグループを囲う枠線の描画を指示する。
【００４７】
次に撮影制御部１０３について詳細を説明する。
【００４８】
図９は撮影制御部１０３の処理を表すフロー図である。
【００４９】
撮影制御部１０３はまず、操作部１０１よりシャッターが半押しされた旨の通知が来るのを待つ（９０１）。
シャッターが半押しされると、撮影制御部１０３はフォーカス調整処理を行う（９０２）。このことによって、仲良しグループ検出部１０６はフォーカス調整された画像に対して仲良しグループの検出を行うことができる。
【００５０】
また、仲良しグループが検出された場合は、ＯＳＤ描画部によって仲良しグループを囲う枠が描画されるため、ユーザは仲良しグループが写っていることを知ることができる。
【００５１】
次にシャッターが全押しされるのを待つ（９０３）。
【００５２】
シャッターが全押しされると、撮像部１０４に対して撮影を指示する（９０４）。
【００５３】
次に、操作部１０１に問い合わせることによって、シャッターが長押しされているか否かを判定する（９０５）。シャッターが長押しされていなかった場合は終了する。シャッターが長押しされていた場合は、仲良しグループ検出部１０６より通知されたズーム倍率を撮像部１０４へ通知して（９０６）画角を調整した後、撮像部１０４に対して撮影を指示して（９０７）終了する。なお、本実施例においては、シャッターの長押しをズームして撮影するためのトリガーとして説明をしたが、例えばタッチパネルを用いる等の別の方法を用いてもよい。
【００５４】
以上説明してきたように、実施例１によれば、ユーザが意図した構図での撮影に続いて仲良しグループにズームした撮影を行うことが可能となり、ユーザの利便性を向上することができる。
【符号の説明】
【００５５】
１０１  操作部、１０３  撮影制御部、１０４  撮像部、
１０５  仲良しグループ管理部、１０６  仲良しグループ検出部、
１０７  人物検出部、１０８  画像処理部、１０９  ＯＳＤ描画部、
１１０  合成部、１１１  表示部、１１２  画像記録部、
５０１  グループ領域算出部、５０２  ズーム倍率算出部、
５０３  枠描画指示部
【図１】
2020174310.tif 000003
【図２】
2020174310.tif 000004
【図３】
2020174310.tif 000005
【図４】
2020174310.tif 000006
【図５】
2020174310.tif 000007
【図６】
2020174310.tif 000008
【図７】
2020174310.tif 000009
【図８】
2020174310.tif 000010
【図９】
2020174310.tif 000011